(57)【要約】【課題】吸収性物品１の吸収性本体１０における長手方向の端部１０ｅＬｆ，１０ｅＬｂからの排泄液の漏出を防ぐとともに、同端部１０ｅＬｆ，１０ｅＬｂで着用者が感じ得る不快感を軽減する。【解決手段】互いに交差する縦方向と横方向とを有した吸収性物品１である。長手方向が前記縦方向に沿った吸収性本体１０を有する。前記吸収性本体１０における前記長手方向の各端部１０ｅＬｆ，１０ｅＬｂのうちの少なくとも一方の端部１０ｅＬｂには、前記吸収性本体１０の肌側面を覆って疎水性シート５０が固定されている。前記疎水性シート５０における前記横方向の各端部５０ｅＷには、前記肌側面に固定されない非固定部分５０ｅＷＮが存在し、前記非固定部分５０ｅＷＮは、前記肌側面から起立可能である。【選択図】図４
2017209479.tif 000002
【特許請求の範囲】
【請求項１】
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であることを特徴とする吸収性物品。
【請求項２】
請求項１に記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記吸収性本体の前記一方の端部において、前記肌側シートは、前記疎水性シートよりも前記横方向の外側に突出していることを特徴とする吸収性物品。
【請求項３】
請求項２に記載の吸収性物品であって、
前記吸収性本体の前記一方の端部において、前記吸収体は、前記疎水性シートよりも前記横方向の外側に突出していることを特徴とする吸収性物品。
【請求項４】
請求項１乃至３の何れかに記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記肌側から見た場合に、前記疎水性シートは、前記吸収体と重なる部分を有していることを特徴とする吸収性物品。
【請求項５】
請求項１乃至４の何れかに記載の吸収性物品であって、
前記疎水性シートは、前記吸収性本体における前記長手方向の近い方の端まで設けられていることを特徴とする吸収性物品。
【請求項６】
請求項１乃至５の何れかに記載の吸収性物品であって、
前記疎水性シートにおける前記長手方向の内側の端部には、前記吸収性本体の前記肌側面に固定されない第２非固定部分が存在し、前記第２非固定部分は、前記肌側面から起立可能であることを特徴とする吸収性物品。
【請求項７】
請求項１乃至６の何れかに記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記吸収体は、前記非肌側シートに固定されており、
前記吸収体における前記横方向の端部は、当該端部の非肌側に位置するシートに固定されない非固定部分を有し、前記非固定部分は、前記シートから起立可能であることを特徴とする吸収性物品。
【請求項８】
請求項１乃至７の何れかに記載の吸収性物品であって、
前記横方向の両側にそれぞれ配されて、前記吸収性本体における前記長手方向の各端部同士を連結する各ベルト部を有し、
前記疎水性シートは、接着剤によって前記吸収性本体の前記肌側面に固定されており、
前記吸収性本体における前記長手方向の前記各端部には、それぞれ、前記ベルト部を溶着で接合する接合部が設けられており、
前記接合部では、前記疎水性シートが、前記吸収性本体の前記肌側面に溶着でも固定されていることを特徴とする吸収性物品。
【請求項９】
請求項１乃至８の何れかに記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記肌側シートは不織布であり、
前記疎水性シートは不織布であり、
前記疎水性シートの密度（ｇ／ｃｍ３）は、前記肌側シートの密度（ｇ／ｃｍ３）よりも大きいことを特徴とする吸収性物品。
【請求項１０】
請求項１乃至９の何れかに記載の吸収性物品であって、
前記吸収性本体は、排泄液を吸収する吸収体を有し、
前記横方向の両側にそれぞれ配されて、前記吸収性本体における前記長手方向の各端部同士を連結する各ベルト部を有し、
前記吸収性本体を前記長手方向に伸長させ、前記長手方向の中央で２つ折りにした状態で、前記縦方向における前記吸収性本体の一方側の端と他方側の端との間の距離は、２５０ｍｍ以上３５０ｍｍ以下であり、
前記吸収体を前記横方向に伸長させた状態で、前記横方向における前記吸収体の一方側の端と他方側の端との間の距離は、５０ｍｍ以上１２０ｍｍ以下であり、
前記縦方向における前記ベルト部の一方側の端と他方側の端との間の距離の最小値は、５０ｍｍ以上１００ｍｍ以下である、ことを特徴とする吸収性物品。
【請求項１１】
請求項１０に記載の吸収性物品であって、
前記吸収性本体における前記長手方向の前記各端部には、それぞれ、前記ベルト部を接合する接合部が設けられており、
前記縦方向における前記接合部の一方側の端と他方側の端との間の距離は、９０ｍｍ以上１３０ｍｍ以下である、ことを特徴とする吸収性物品。
【請求項１２】
請求項１０または１１に記載の吸収性物品であって、
前記ベルト部及び前記吸収性本体の一部によって形成される胴回り開口部を有し、
前記胴回り開口部の周の長さは、３００ｍｍ以上８００ｍｍ以下である、ことを特徴とする吸収性物品。
【発明の詳細な説明】
【技術分野】
【０００１】
本発明は、吸収性物品に関する。
【背景技術】
【０００２】
従来、吸収性物品として、着用時に互いに直交する縦方向と横方向とを有した状態となる使い捨ておむつが知られている。そして、特許文献１には、その一例として、次のようなおむつが開示されている。すなわち、このおむつは、長手方向が縦方向に沿った平面視略砂時計形状の吸収性本体を有し、また、同吸収性本体における長手方向の一方の端部には、着用者に同吸収性本体を装着するためのファスニングテープが横方向に一対設けられており、更に、他方の端部には、その肌側面を覆って低摩擦シートが固定されている。
【先行技術文献】
【特許文献】
【０００３】
【特許文献１】特表２００７−５１５２１８号公報
【発明の概要】
【発明が解決しようとする課題】
【０００４】
ここで、吸収性本体のこれら各端部は、それぞれ、着用者の臀部又は腹部に対向する部分であるが、当該端部の剛性が低いと、同端部で上記長手方向（縦方向）に沿った皺を生じ易くなり、その結果、当該皺を伝って吸収性本体の各端部から外部へと尿等の排泄液が漏れ出る恐れがある。  
また、当該端部の肌側が排泄液で濡れていると、着用者は不快感を感じ得る。
【０００５】
この点につき、上記の低摩擦シートを設けていれば、上記一方の端部の剛性の向上を図れて、これにより、当該端部の皺の発生を抑制可能である。
【０００６】
しかし、低摩擦シートであるが故に、同シートは、これが当接する着用者の肌に、さらっとした感触を感じさせる機能を有しない。例えば、吸収性本体に吸収された排泄液が肌側に戻って染み出すことを防ぎ得ない。
【０００７】
また、同シートは、その四隅で吸収性本体の肌側面に固定されているが、このような固定構造の場合には、同シートにおける横方向の各端部は、吸収性本体の肌側面から起立することができない。そのため、例えば一時的に吸収性本体で吸収しきれない排泄液が、同吸収性本体における横方向の外側の位置を長手方向に沿って流れて長手方向の上記端部に達した後に、横方向の外側から内側へと回り込んで低摩擦シートの肌側面に流入しようとする場合に（例えば、図４の太線矢印を参照）、当該流入を阻止することはできない。その結果、当該低摩擦シートの肌側面は排泄液で濡れてしまい得る。
【０００８】
そして、以上のようなことから、この低摩擦シートでは、吸収性本体の上記端部で着用者が感じ得る不快感を軽減することができない。
【０００９】
本発明は、上記のような従来の問題に鑑みてなされたものであって、その目的は、吸収性物品の吸収性本体における長手方向の端部からの排泄液の漏出を防ぐとともに、同端部で着用者が感じ得る不快感を軽減することにある。
【課題を解決するための手段】
【００１０】
上記目的を達成するための主たる発明は、
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であることを特徴とする吸収性物品である。  
本発明の他の特徴については、本明細書及び添付図面の記載により明らかにする。
【発明の効果】
【００１１】
本発明によれば、吸収性物品の吸収性本体における長手方向の端部からの排泄液の漏出を防ぐとともに、同端部で着用者が感じ得る不快感を軽減可能となる。
【図面の簡単な説明】
【００１２】
【図１】本実施形態の吸収性物品の一例としてのパンツ型使い捨ておむつ１の概略斜視図である。
【図２】図２Ａは、延板状態のおむつ１をベルト部３２側から見た概略平面図であり、図２Ｂは、図２Ａ中のＢ−Ｂ断面図である。
【図３】図３Ａは、図２Ａの延板状態のおむつ１において前側接合部ｊｆ，ｊｆ及び後側接合部ｊｂ，ｊｂの各接合を解いて各ベルト部３２，３２を横方向の外側に開いた状態の概略平面図であり、図３Ｂは、図３Ａ中のＢ−Ｂ断面図である。
【図４】本実施形態に係る工夫の説明図であって図３Ａと同じ様式の概略平面図である。
【図５】図４中のＡ−Ａ断面図及びＢ−Ｂ断面図である。
【図６】第１変形例の使い捨ておむつ１ａの説明図であって図４中のＡ−Ａ断面図及びＢ−Ｂ断面図に相当する図である。
【図７】第２変形例の使い捨ておむつ１ｂの説明図であって図４と同じ様式で示す概略平面図ある。
【図８】図７中のＡ−Ａ断面図及びＢ−Ｂ断面図である。
【図９】図９Ａ及び図９Ｂは、図１中のＩＸ−ＩＸ断面図である。
【図１０】おむつ１の各部の寸法について説明する図である。
【図１１】着用者がおむつ１を着用した状態を正面（腹側）から見た場合について示す概略図である。
【図１２】着用者がおむつ１を着用し、さらにその上から下着を着用した状態を正面（腹側）から見た場合について示す概略図である。
【発明を実施するための形態】
【００１３】
本明細書及び添付図面の記載により、少なくとも以下の事項が明らかとなる。  
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であることを特徴とする吸収性物品である。
【００１４】
このような吸収性物品によれば、吸収性本体で吸収しきれずに横方向の外側を通って同外側から内側へと回り込んで疎水性シートの肌側面に流入しようとする排泄液を、当該疎水性シートにおける横方向の端部の上記非固定部分が起立することで横方向の外側に堰き止める。そして、これにより、疎水性シートの肌側面への排泄液の流入を抑制することができて、その結果、同シートの肌側面は、排泄液で濡れない状態に維持され易くなる。よって、着用者の身体のうちで上記端部が対向する部分に、さらっとした感触（以下、さらっと感とも言う）を感じさせることができて、これにより、同端部が濡れている場合に感じ得る不快感を軽減可能となる。  
また、同疎水性シートによって肌側へのリウエットが防止される。すなわち、吸収性本体に吸収された排泄液が肌側に戻って染み出すことが、同シートの疎水性に基づいて防止される。そして、このことも、上記のさらっと感を感じさせることに有効に寄与する。  
更に、疎水性シートによって吸収性本体の上記端部の剛性を補うことができるので、同端部を平らに維持可能であり、これにより、臀部や腹部などの着用者の身体の部分にフィットすることができる。そして、その結果、同端部での縦方向に沿った皺の発生を抑制して、当該皺を伝って吸収性本体の排泄液が上記端部から漏出することを防ぐことができる。
【００１５】
かかる吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記吸収性本体の前記一方の端部において、前記肌側シートは、前記疎水性シートよりも前記横方向の外側に突出しているのが望ましい。
【００１６】
このような吸収性物品によれば、疎水性シートよりも肌側シートは横方向の外側に突出している。よって、疎水性シートの非固定部分が起立することで横方向の外側に堰き止められた排泄液を、当該肌側シートの液透過性で吸収して、これを吸収体へと速やかに導くことができる。よって、非固定部分の外側に堰き止められた排泄液が、当該非固定部分を横方向の内側に乗り越えて横方向から疎水性シートの肌側面に流入してしまうことを抑制できて、これにより、排泄液が同シートの肌側面を濡らしてしまうことを確実に防ぐことができる。そして、その結果、着用者に、上記のさらっと感をより確実に感じさせることができる。
【００１７】
かかる吸収性物品であって、
前記吸収性本体の前記一方の端部において、前記吸収体は、前記疎水性シートよりも前記横方向の外側に突出しているのが望ましい。
【００１８】
このような吸収性物品によれば、疎水性シートよりも吸収体は横方向の外側に突出している。よって、疎水性シートの非固定部分が起立することで横方向の外側に堰き止められた排泄液を、当該肌側シートだけでなく吸収体でも速やかに吸収できる。そして、これにより、非固定部分の外側に堰き止められた排泄液が当該非固定部分を横方向の内側に乗り越えて横方向から疎水性シートの肌側面に流入してしまうことを有効に抑制できて、その結果、排泄液が同シートの肌側面を濡らしてしまうことを確実に防ぐことができる。
【００１９】
かかる吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記肌側から見た場合に、前記疎水性シートは、前記吸収体と重なる部分を有しているのが望ましい。
【００２０】
このような吸収性物品によれば、肌側から見た場合に、疎水性シートは、吸収体と重なる部分を有している。よって、吸収体の存在に起因してより起き易い排泄液のリウエットを、当該疎水性シートで効果的に抑制可能である。
【００２１】
かかる吸収性物品であって、
前記疎水性シートは、前記吸収性本体における前記長手方向の近い方の端まで設けられているのが望ましい。
【００２２】
このような吸収性物品によれば、疎水性シートは吸収性本体の端まで設けられているので、当該端まで、吸収性本体の剛性を補う効果を発揮し得る。よって、吸収性本体の端部での皺の発生をより一層抑制可能となって、その結果、当該皺起因で排泄液が上記端部から外部へ漏出してしまうことを確実に防ぐことができる。
【００２３】
かかる吸収性物品であって、
前記疎水性シートにおける前記長手方向の内側の端部には、前記吸収性本体の前記肌側面に固定されない第２非固定部分が存在し、前記第２非固定部分は、前記肌側面から起立可能であるのが望ましい。
【００２４】
このような吸収性物品によれば、吸収性本体で吸収しきれずに長手方向に沿って上記端部の疎水性シートの肌側面に流入しようとする排泄液を、当該疎水性シートの上記長手方向の内側の端部の上記第２非固定部分が起立することで堰き止める。よって、疎水性シートの肌側面への排泄液の流入を抑制することができて、その結果、同シートの肌側面が排泄液で濡れてしまうことを防ぐことができる。
【００２５】
かかる吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記吸収体は、前記非肌側シートに固定されており、
前記吸収体における前記横方向の端部は、当該端部の非肌側に位置するシートに固定されない非固定部分を有し、前記非固定部分は、前記シートから起立可能であるのが望ましい。
【００２６】
このような吸収性物品によれば、吸収体の横方向の端部の非固定部分も起立可能である。よって、当該非固定部分も排泄液を横方向の外側に堰き止める堰として機能し得て、これにより、横方向の外側からの排泄液の疎水性シートの肌側面への流入を確実に防ぐことができる。
【００２７】
かかる吸収性物品であって、
前記横方向の両側にそれぞれ配されて、前記吸収性本体における前記長手方向の各端部同士を連結する各ベルト部を有し、
前記疎水性シートは、接着剤によって前記吸収性本体の前記肌側面に固定されており、
前記吸収性本体における前記長手方向の前記各端部には、それぞれ、前記ベルト部を溶着で接合する接合部が設けられており、
前記接合部では、前記疎水性シートが、前記吸収性本体の前記肌側面に溶着でも固定されているのが望ましい。
【００２８】
このような吸収性物品によれば、疎水性シートは接着剤で吸収性本体の肌側面に固定されるだけでなく上記接合部においては溶着でも同肌側面に固定されている。よって、疎水性シートを吸収性本体にしっかりと固定することができて、これにより、疎水性シートに上述の機能を確実に発揮させることができる。
【００２９】
かかる吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記肌側シートは不織布であり、
前記疎水性シートは不織布であり、
前記疎水性シートの密度（ｇ／ｃｍ３）は、前記肌側シートの密度（ｇ／ｃｍ３）よりも大きいのが望ましい。
【００３０】
このような吸収性物品によれば、肌側シートでも阻止不能な吸収体から肌側への排泄液の戻り染み出しを、疎水性シートは、その構成繊維の高い密集度に基づいて、しっかりブロックすることができて、これにより、疎水性シートの肌側面への排泄液の染み出しを効果的に阻止し得る。そして、このことは、前述の肌側へのリウエットの防止に有効に寄与する。
【００３１】
かかる吸収性物品であって、
前記吸収性本体は、排泄液を吸収する吸収体を有し、
前記横方向の両側にそれぞれ配されて、前記吸収性本体における前記長手方向の各端部同士を連結する各ベルト部を有し、
前記吸収性本体を前記長手方向に伸長させ、前記長手方向の中央で２つ折りにした状態で、前記縦方向における前記吸収性本体の一方側の端と他方側の端との間の距離は、２５０ｍｍ以上３５０ｍｍ以下であり、
前記吸収体を前記横方向に伸長させた状態で、前記横方向における前記吸収体の一方側の端と他方側の端との間の距離は、５０ｍｍ以上１２０ｍｍ以下であり、
前記縦方向における前記ベルト部の一方側の端と他方側の端との間の距離の最小値は、５０ｍｍ以上１００ｍｍ以下であるのが望ましい。
【００３２】
このような吸収性物品によれば、おむつ（吸収性物品）を着用し、さらにその上から下着を着用する際に、おむつの各部が下着の外にはみ出しにくく目立ちにくい。また、おむつの着用時に吸収体やベルト部について良好なフィット性を実現しやすくなる。これにより、着用者は、おむつを着用した状態で違和感なく日常生活を送ることができる。
【００３３】
かかる吸収性物品であって、
前記吸収性本体における前記長手方向の前記各端部には、それぞれ、前記ベルト部を接合する接合部が設けられており、
前記縦方向における前記接合部の一方側の端と他方側の端との間の距離は、９０ｍｍ以上１３０ｍｍ以下であるのが望ましい。
【００３４】
このような吸収性物品によれば、着用時における脚回り開口部のフィット性を向上させることができる。また、ベルト部が下着からはみ出すことを抑制することができる。
【００３５】
かかる吸収性物品であって、
前記ベルト部及び前記吸収性本体の一部によって形成される胴回り開口部を有し、
前記胴回り開口部の周の長さは、３００ｍｍ以上８００ｍｍ以下であるのが望ましい。
【００３６】
このような吸収性物品によれば、着用時における胴回り部の良好なフィット性を確保しやすくなる。また、胴回り開口を開いた状態で脚回り開口の位置を視認しやすいため、着用する際に脚回り開口に脚が引っかかりにくく、着用しやすさが向上する。
【００３７】
＝＝＝本実施形態＝＝＝
図１は、本実施形態の吸収性物品の一例としてのパンツ型使い捨ておむつ１の概略斜視図である。  
このおむつ１は、着用前の時点で既に図１のようなパンツ型状態となっている。そして、このパンツ型状態において、同おむつ１は、互いに直交する縦方向と横方向と前後方向とを有している。なお、同おむつ１の着用時には、上記の縦方向は、上下方向を向いていることが多い。そのため、以下では、縦方向のことを「上下方向」とも言う。また、この上下方向については、上側が、着用者の胴回り側に対応し、下側が、着用者の股下側に対応している。他方、前後方向については、前側が、着用者の腹側に対応し、後側が、着用者の背側に対応している。
【００３８】
また、同パンツ型状態においては、おむつ１は、上下方向に長手方向を沿わせつつ同長手方向の略中央位置ＣＬＬ１０（図２Ａ）で２つ折りされた帯状の吸収性本体１０と、横方向の両側にそれぞれ配されて、上記吸収性本体１０における長手方向の各端部１０ｅＬｆ，１０ｅＬｂ同士を連結する各ベルト部３２，３２と、吸収性本体１０の横方向の両側にそれぞれ位置して脚回り開口部ＬＨを形成する各レッグギャザー部３７，３７と、を有している。
【００３９】
すなわち、吸収性本体１０の各端部１０ｅＬｆ，１０ｅＬｂのうちの一方の端部１０ｅＬｆは、上方且つ前側に位置し、他方の端部１０ｅＬｂは、上方且つ後側に位置している。また、おむつ１の前側には、上から下に向かって横方向の外側へ傾斜した前側接合部ｊｆ，ｊｆ（接合部に相当）が、横方向に並んで一対設けられており、同様に、おむつ１の後側にも、上から下に向かって横方向の外側へ傾斜した後側接合部ｊｂ，ｊｂ（接合部に相当）が、横方向に並んで一対設けられている。そして、前者の一対の前側接合部ｊｆ，ｊｆによって、前側に位置する吸収性本体１０の端部１０ｅＬｆと各ベルト部３２，３２の横方向の端部３２ｅＬｆ，３２ｅＬｆとが接合されているとともに、前側に位置する各レッグギャザー部３７，３７の端部３７ｅＬｆ，３７ｅＬｆと各ベルト部３２，３２の横方向の端部３２ｅＬｆ，３２ｅＬｆとが接合されている。また、同様に、後者の一対の後側接合部ｊｂ，ｊｂによって、後側に位置する吸収性本体１０の端部１０ｅＬｂと各ベルト部３２，３２の横方向の端部３２ｅＬｂ，３２ｅＬｂとが接合されているとともに、後側に位置する各レッグギャザー部３７，３７の端部３７ｅＬｂ，３７ｅＬｂと各ベルト部３２の横方向の端部３２ｅＬｂ，３２ｅＬｂとが接合されている。
【００４０】
そして、これにより、同パンツ型状態においては、吸収性本体１０の上記各端部１０ｅＬｆ，１０ｅＬｂと各ベルト部３２，３２の上端部とが共同することで、おむつ１の上部に胴回り開口部ＢＨが形成されており、また、各レッグギャザー部３７，３７における横方向の外側の端部と各ベルト部３２，３２の下端部とが共同することで、横方向の両側に脚回り開口部ＬＨ，ＬＨが１つずつ形成されている。
【００４１】
また、各ベルト部３２には、それぞれ、横方向に沿った糸ゴム３３，３３…が上下方向に複数並んで配置されていて、これにより、各ベルト部３２には、横方向の伸縮性が付与されている。他方、各レッグギャザー部３７にも、それぞれ、吸収性本体１０の長手方向に沿った糸ゴム３８，３８が横方向に複数並んで配置されていて、これにより、各レッグギャザー部３７には、上下方向の伸縮性が付与されている。そして、これらの伸縮性に基づいて、おむつ１の胴回り開口部ＢＨ及び脚回り開口部ＬＨは、それぞれ、着用者の胴回りや脚回りにフィットするようになっている。
【００４２】
このようなおむつ１は、その製造過程の最終段階で、図２Ａ及び図２Ｂのような延板状態となっている。なお、図２Ａは、当該延板状態のおむつ１をベルト部３２側から見た概略平面図であり、図２Ｂは、図２Ａ中のＢ−Ｂ断面図である。また、図３Ａは、図２Ａの延板状態のおむつ１において前側接合部ｊｆ，ｊｆ及び後側接合部ｊｂ，ｊｂの各接合をそれぞれ解いて吸収性本体１０の肌側面が見えるように各ベルト部３２，３２を横方向の外側に開いた状態の概略平面図であり、図３Ｂは、図３Ａ中のＢ−Ｂ断面図である。また、図２Ｂ及び図３Ｂ中に示す波形線は、接着剤を模式的に示したものであり、更に、左斜め下線のハッチング模様で示す部分は、溶着部を模式的に示したものである。そして、このことは，以下で現れる図５、図６、及び図８についても同様である。
【００４３】
図２Ａの延板状態のおむつ１は、図１のパンツ型状態のおむつ１において吸収性本体１０の２つ折りが解除されるように同吸収性本体１０をその長手方向と平行な前後方向の両側に引っ張って伸ばした状態に相当している。そして、この延板状態においては、図２Ｂに示すように、吸収性本体１０及びレッグギャザー部３７，３７の各肌側面には、各ベルト部３２，３２が重なった状態になっている。  
ちなみに、逆に言えば、この延板状態のおむつ１における一対のベルト部３２，３２の横方向の内側の各端部３２ｅｗ１，３２ｅｗ１をそれぞれ横方向の外側に引っ張りながら、吸収性本体１０を長手方向の略中央位置ＣＬＬ１０で二つ折りすれば、おむつ１は、図１のようなパンツ型状態になる。
【００４４】
また、この延板状態においては、おむつ１は、互いに直交する長手方向と横方向と厚さ方向とを有している。そして、この長手方向は、パンツ型状態の縦方向と平行である。また、同長手方向の一方側及び他方側は、それぞれ、着用者の腹側たる前側及び背側たる後側に対応することから、以下では、一方側及び他方側のことを、それぞれ「前側」及び「後側」とも言う。更に、当該延板状態においては、同おむつ１の長手方向は、吸収性本体１０、ベルト部３２、及びレッグギャザー部３７の各長手方向とも揃っている。そのため、以下では、これらを区別せずに単に「長手方向」と言う。一方、横方向については、パンツ型状態の横方向と同じであり、以下では、単に「横方向」と言う。また、厚さ方向については、着用者の身体に接触する側のことを「肌側」ともいい、その逆側のことを「非肌側」とも言う。
【００４５】
更に、この延板状態では、おむつ１を長手方向に伸長した状態にしているが、この「伸長した状態」と言うのは、おむつ１に配置された各弾性部材（例えばベルト部３２の糸ゴム３３やレッグギャザー部３７の糸ゴム３８等）による収縮力に抗しておむつ１を長手方向に伸長した場合に、各弾性部材が配置されている部分において実質的に皺やギャザーが視認できなくなる程度まで伸長させた状態のことをいう。従って、長手方向に伸長した状態におけるおむつ１の形状は、各弾性部材による収縮力が発現していない状態において平坦に延びているおむつ１の形状と同じである。
【００４６】
以下、この延板状態のおむつ１を適宜参照しながら、同おむつ１の構成について説明する。  
図２Ａ及び図２Ｂの延板状態においては、吸収性本体１０の横方向の両側にそれぞれレッグギャザー部３７，３７が位置しており、また、吸収性本体１０の肌側面及び各レッグギャザー部３７，３７の肌側面に重なるように一対のベルト部３２，３２が横方向に並んで位置している。
【００４７】
かかるベルト部３２及びレッグギャザー部３７は、同一のシート部材３０で形成されている。すなわち、図３Ａ及び図３Ｂに示すように、吸収性本体１０の横方向の両側には、それぞれ、シート部材３０，３０が１つずつ配置されていて、各シート部材３０，３０の横方向の内側の端部３０ｅＷ，３０ｅＷは、それぞれ、吸収性本体１０の横方向の各端部１０ｅＷ，１０ｅＷに接合されている。詳しくは、当該内側の端部３０ｅＷが、吸収性本体１０を構成する後述のトップシート１２とバックシート１４又は外装シート１６との間に介挿されつつ、これらのシート１２，１４，１６に接着剤又は溶着で接合されている。また、図３Ｂに示すように、シート部材３０のうちでベルト部３２となる部分とレッグギャザー部３７となる部分との間には、長手方向に沿った折り返し線ＦＬが設定されている。そして、各シート部材３０には、それぞれ、当該折り返し線ＦＬを横方向に跨ぐように脚回り開口部ＬＨが厚さ方向に貫通形成されている。よって、当該折り返し線ＦＬでシート部材３０を横方向の内側に折り返すことにより、上記のベルト部３２とレッグギャザー部３７とが形成される。そして、図２Ａに示す前述の前側接合部ｊｆ，ｊｆ及び後側接合部ｊｂ，ｊｂで、吸収性本体１０及びレッグギャザー部３７，３７と各ベルト部３２，３２とを接合して上記の折り返し状態に固定することにより、上記の延板状態のおむつ１が形成される。
【００４８】
なお、前側接合部ｊｆ及び後側接合部ｊｂの形成は、例えばヒートシールや超音波シール等による溶着処理や接着剤による接着処理でなされ、ここでは、溶着処理でなされている。
【００４９】
また、図３Ｂに示すように、かかるシート部材３０の形成は、例えば不織布等の柔軟なシート３０ａ，３０ａを厚さ方向に二枚重ねにしてなされ、そして、これら二枚重ねのシート３０ａ，３０ａ同士の間には前述の糸ゴム３３，３８、すなわち、ベルト部３２の糸ゴム３３，３３…及びレッグギャザー部３７の糸ゴム３８，３８が長手方向に伸長された状態で固定されている。
【００５０】
更に、この例では、図２Ｂに示すように、ベルト部３２において胴回り開口部ＢＨとなる部分には、肌ストレス軽減用に端部仕舞い構造が付与されている。すなわち、この延板状態のおむつ１においては、ベルト部３２における横方向の内側の端部３２ｅＷ１，３２ｅＷ１が、胴回り開口部ＢＨとなる部分であるが、当該端部３２ｅｗ１，３２ｅｗ１は、横方向に複数回折り返されて接着剤等で当該折り返し状態に固定されていて、これにより、着用者の肌への負荷軽減が図られている。但し、何等これに限らない。すなわち、端部３２ｅｗ１を折り返さず当該端部仕舞い構造を省略しても良い。
【００５１】
図３Ａに示すように、吸収性本体１０は、長手方向の各端部１０ｅＬｆ，１０ｅＬｂがそれぞれ平面視略Ｖ字形に先細った形状のシート状部材である。すなわち、吸収性本体１０は、長手方向の各端部１０ｅＬｆ，１０ｅＬｂに、前述の一対の前側接合部ｊｆ，ｊｆ及び一対の後側接合部ｊｂ，ｊｂに対応した形状を有している。また、図３Ｂに示すように、同吸収性本体１０は、尿等の排泄液を吸収する吸収体１１と、同吸収体１１よりも肌側に配された液透過性のトップシート１２（肌側シートに相当）と、同吸収体１１よりも非肌側に配された液不透過性のバックシート１４（非肌側シートに相当）と、バックシート１４よりも非肌側に配された外装シート１６と、を有する。  
そして、これら各部材１１，１２，１４，１６は、それぞれ、厚さ方向に隣接する部材と、ホットメルト接着剤又は溶着等で接合されている。なお、同接着剤の塗布パターンとしては、Ωパターンやスパイラルパターン、ストライプパターン等を例示できて、このことは、この後に出てくる他の接着剤についてだけでなく、既述の接着剤についても同様である。また、吸収性本体１０の長手方向の寸法たる製品長は、４５０〜７５０ｍｍが好ましい。すなわち、４５０ｍｍ未満であると、お尻を覆うことができずに不安感を助長し、７５０ｍｍを超えると、腰周りを超えてしまうため、装着時に違和感を引き起こすが、上記範囲にしていれば、これらを防ぐことができる。
【００５２】
吸収体１１は、液体吸収性の吸収性コア（不図示）と、同コアの外周面を被覆する不図示のコアラップシートと、を有する。吸収性コアは、所定の液体吸収性素材を所定形状に成形したものであり、図３Ａの例では、前端と後端とに円弧状部分を有した平面視略矩形状の成形体である。但し、何等これに限らない。また、液体吸収性素材としては、パルプ繊維等の液体吸収性繊維や、高吸収性ポリマー（所謂ＳＡＰ）等の液体吸収性粒状物を例示できるが、何等これに限らない。また、コアラップシートには、ティッシュペーパーや不織布等の液透過性シートを使用可能であるが、場合によっては、コアラップシートを省略しても良い。なお、吸収体１１の長手方向の寸法は、上記の製品長の３５〜８５％にあることが好ましい。この理由は、３５％以上でないと、吸収体１１で股間部を覆うことができずに漏れてしまう一方、８５％を超えると、装着時に違和感を引き起こすためである。
【００５３】
トップシート１２は、不織布等の液透過性シートで形成され、ここでは、エアスルー不織布が使用されている。また、その平面サイズは、図３Ａに示すように、吸収体１１の長手方向の両側及び横方向の両側から突出するようなサイズである。そして、横方向に突出する部分１２ｅＷ，１２ｅＷは、図３Ｂに示すように、非肌側且つ横方向の内側に曲げられていて、これにより、当該突出する部分１２ｅＷ，１２ｅＷは、吸収体１１の横方向の端部１１ｅＷを非肌側からも覆っている。よって、トップシート１２の横方向の端部１２ｅＷ，１２ｅＷが肌と擦れないため、装着時の違和感が低減する。
【００５４】
バックシート１４は、ポリエチレンフィルム又はポリプロピレンフィルム等の液不透過性シートで形成されている。また、図３Ａに示すように、当該バックシート１４も、吸収体１１の長手方向の両側及び横方向の両側から突出するような平面サイズのシートである。そして、このバックシート１４の長手方向の各端部１４ｅＬｆ，１４ｅＬｂは、それぞれ吸収性本体１０の各端部１０ｅＬｆ，１０ｅＬｂの一部を構成することから、その形状は、前述の一対の前側接合部ｊｆ，ｊｆ及び一対の後側接合部ｊｂ，ｊｂに対応した形状をしている。すなわち、各端部１４ｅＬｆ，１４ｅＬｂは、それぞれ長手方向の前側又は後側に進むに従って横方向の寸法が小さくなった前述の略Ｖ字形の先細り形状をなしている。
【００５５】
外装シート１６は、不織布等の柔軟なシートで形成される。そして、同外装シート１６の平面サイズは、バックシート１４の長手方向の両側及び横方向の両側から突出するようなサイズである。また、長手方向の各端部１６ｅＬｆ，１６ｅＬｂは、それぞれ吸収性本体１０の各端部１０ｅＬｆ，１０ｅＬｂを構成する。よって、これら各端部１６ｅＬｆ，１６ｅＬｂの形状は、前述の一対の前側接合部ｊｆ，ｊｆ及び一対の後側接合部ｊｂ，ｊｂに対応した形状をしている。すなわち、各端部１６ｅＬｆ，１６ｅＬｂは、それぞれ長手方向の前側又は後側に進むに従っての寸法が小さくなった前述の略Ｖ字形の先細り形状をなしている。
【００５６】
ちなみに、以下の説明では、「吸収性本体１０の肌側面」という用語が現れるが、この吸収性本体１０の肌側面を形成するシートは、同本体１０の平面位置に応じて変化する。すなわち、トップシート１２が存在している位置では、トップシート１２の肌側面が吸収性本体１０の肌側面を形成する。しかし、トップシート１２が存在しておらずバックシート１４が存在している位置では、バックシート１４の肌側面が吸収性本体１０の肌側面を形成し、また、トップシート１２及びバックシート１４の両者が存在していない位置では、外装シート１６の肌側面が吸収性本体１０の肌側面を形成する。
【００５７】
ところで、上述のようにトップシート１２とバックシート１４と外装シート１６とは、それぞれ、長手方向に関して吸収体１１よりも外方に突出する部分１０ｅＬｆＮ，１０ｅＬｂＮを有している。すなわち、図３Ａに示すように、吸収性本体１０は、長手方向の各端部１０ｅＬｆ，１０ｅＬｂに、吸収体１１が設けられていない部分１０ｅＬｆＮ，１０ｅＬｂＮを有している。そして、当該部分１０ｅＬｆＮ，１０ｅＬｂＮの剛性は低いことから、おむつ１の着用時に当該部分１０ｅＬｆＮ，１０ｅＬｂＮに、長手方向に沿った皺が生じ易く、その結果、当該皺を伝って吸収性本体１０の各端部１０ｅＬｆ，１０ｅＬｂから外部へと排泄液が漏れ出る恐れがある。
【００５８】
また、当該各端部１０ｅＬｆ，１０ｅＬｂは、着用者の腹部又は臀部に対向し得るが、これら各端部１０ｅＬｆ，１０ｅＬｂの肌側が排泄液で濡れていると、着用者は不快感を感じ得る。
【００５９】
そこで、本実施形態では、吸収性本体１０における長手方向の各端部１０ｅＬｆ，１０ｅＬｂに対して、それぞれ、所定の工夫をしている。以下、この工夫について説明する。
【００６０】
図４及び図５は、当該工夫の説明図である。図４は、図３Ａと同じ様式の概略平面図であり、図５は、図４中のＡ−Ａ断面図及びＢ−Ｂ断面図である。
【００６１】
本実施形態では、上記の工夫として、吸収性本体１０における長手方向の各端部１０ｅＬｆ，１０ｅＬｂに、それぞれ、同吸収性本体１０の肌側面を覆うように疎水性シート５０，５０（図４中では、ドット模様の部分を参照）を固定している。より詳しくは、当該疎水性シート５０は、少なくとも吸収性本体１０において吸収体１１が設けられていない部分１０ｅＬｆＮ，１０ｅＬｂＮを覆うように設けられている。
【００６２】
そして、このようになっていれば、当該疎水性シート５０，５０によって、同シート５０分の剛性を付与できるため、吸収性本体１０の各端部１０ｅＬｆ，１０ｅＬｂの剛性を補うことができる。特に、低剛性の上記部分１０ｅＬｆＮ，１０ｅＬｂＮの剛性を効果的に高めることができる。
【００６３】
よって、これら低剛性の上記部分１０ｅＬｆＮ，１０ｅＬｂＮを含め、吸収性本体１０の端部１０ｅＬｆ，１０ｅＬｂを概ね平らに維持可能であり、これにより、全体として当該端部１０ｅＬｆ，１０ｅＬｂは、着用者の腹部又は臀部にフィットし得る。そして、その結果、これら端部１０ｅＬｆ，１０ｅＬｂでの長手方向に沿った皺の発生を抑制して、当該皺起因で排泄液がこれら端部１０ｅＬｆ，１０ｅＬｂから外部へと漏出することを防ぐことができる。
【００６４】
また、同疎水性シート５０，５０の疎水性に基づいて、肌側へのリウエットも防止される。すなわち、吸収性本体１０に吸収された排泄液が肌側に戻って染み出すことも、同シート５０，５０の疎水性に基づいて防止される。
【００６５】
よって、着用者の身体のうちで上記端部１０ｅＬｆ，１０ｅＬｂが対向する腹部や臀部に、さらっと感を感じさせることができて、これにより、同端部１０ｅＬｆ，１０ｅＬｂが濡れている場合の不快感を軽減可能となる。
【００６６】
更に、図４及び図５に示すように、疎水性シート５０における横方向の各端部５０ｅＷ，５０ｅＷには、吸収性本体１０の肌側面に固定されない非固定部分５０ｅＷＮ，５０ｅＷＮが、長手方向に沿った帯状に存在している。そして、当該非固定部分５０ｅＷＮ，５０ｅＷＮは、同肌側面から起立可能である。
【００６７】
よって、吸収性本体１０で一時的に吸収しきれない排泄液が存在する場合でも、疎水性シート５０の肌側面を排泄液で濡れない状態に維持可能である。詳しくは次の通りである。先ず、図４に示すように、吸収性本体１０で一時的に吸収しきれない排泄液は、吸収性本体１０よりも横方向の外側の位置のレッグギャザー部３７で外部への漏出が食い止められる。そのため、かかる排泄液は、レッグギャザー部３７の位置に滞留し得て、これにより、図４中の太線矢印で示すように、当該位置で長手方向の前側又は後側へと流れる。そして、前側の端部１０ｅＬｆ及び後側の端部１０ｅＬｂに至った排泄液は、そこから横方向の内側へと回り込んで、疎水性シート５０の肌側面に流入する恐れがある。しかし、この点につき、図５に示すように、疎水性シート５０における横方向の各端部５０ｅＷの非固定部分５０ｅＷＮは、起立可能である（図５中に二点鎖線で示す状態を参照）。よって、当該非固定部分５０ｅＷＮが起立することにより、横方向の外側から疎水性シート５０の肌側面に流入しようとする排泄液を横方向の外側に堰き止める。そして、これにより、疎水性シート５０の肌側面への排泄液の流入を抑制することができて、その結果、同シート５０の肌側面は、排泄液で濡れない状態に維持され易くなる。そして、このことも、上記のさらっと感を感じさせることに有効に寄与する。
【００６８】
なお、図４に示すように、吸収性本体１０の前側の端部１０ｅＬｆに設けられた疎水性シート５０と、後側の端部１０ｅＬｂに設けられた疎水性シート５０とは、概ね同じものであり、また、その設けられる周辺の状況も基本的に同じである。よって、以下では、両方の疎水性シート５０，５０について同時に説明する。
【００６９】
かかる疎水性シート５０は、不織布等の柔軟な素材シートを材料とすることができて、ここでは、当該素材シートとしてスパンボンド不織布が使用されている。但し、何等これに限らない。例えば、ＳＭＳ不織布等の他の不織布や織布、フィルム等を用いても良い。
【００７０】
また、この疎水性シート５０は疎水性を有しているが、ここで言う「疎水性シート５０が疎水性を有する」とは、同シート５０の疎水性が、吸収性本体１０の肌側面の疎水性よりも大きいことを意味する。例えば、狭義には、吸収性本体１０の肌側面を構成するトップシート１２、バックシート１４、及び外装シート１６の何れよりも疎水性が大きいことを意味し、広義には、トップシート１２、バックシート１４、及び外装シート１６の何れか一つよりも疎水性が大きいことを意味する。なお、かかる疎水性の大小比較については、例えば、ＪＩＳＫ６７６８に基づいて測定される「ぬれ張力」の大小比較でなすことができる。また、このように疎水性シート５０の疎水性を相対的に高くすることの実現は、吸収性本体１０の肌側面を構成する各シート１２，１４，１６の全て又は少なくとも何れか一つに対して油剤で親水化処理を施すことでなすことができるし、或いは、疎水性シート５０の上記素材シートに対して適宜な疎水化処理を施すことでなすことができる。
【００７１】
また、疎水性シート５０の長手方向及び横方向の各寸法の一例としては、それぞれ、５０ｍｍ〜２００ｍｍ及び４０ｍｍ〜１９０ｍｍを例示できる。そして、このような寸法であれば、上述の作用効果をより確実に奏することができる。
【００７２】
更に、疎水性シート５０における上記の非固定部分５０ｅＷＮの横方向の寸法の一例としては、同疎水性シート５０の横方向の寸法の最大値の３％〜２５％の値を例示できる。そして、このような寸法にしていれば、上記の排泄液の横方向の堰き止め効果をより確実に奏することができる。
【００７３】
また、この例では、上述のように疎水性シート５０にスパンボンド不織布を使用し、他方で、トップシート１２にはエアスルー不織布を使用している。そのため、疎水性シート５０の密度（ｇ／ｃｍ３）は、トップシート１２の密度（ｇ／ｃｍ３）よりも大きくなっている。
【００７４】
よって、図５のトップシート１２でも阻止不能な吸収体１１から肌側への排泄液の戻り染み出しを、前側及び後側の各疎水性シート５０，５０は、それぞれ、その構成繊維の高い密集度に基づきしっかりブロックすることができて、これにより、各疎水性シート５０，５０の肌側面への排泄液の染み出しを効果的に阻止し得る。そして、このことも、上記の肌側へのリウエットの防止に有効に寄与する。
【００７５】
但し、何等これに限らない。すなわち、上記の染み出し防止効果が多少低下しても問題無い場合には、疎水性シート５０の密度（ｇ／ｃｍ３）を、トップシート１２の密度（ｇ／ｃｍ３）より小さくしても良い。
【００７６】
更に、図４に示すように厚さ方向の肌側から見た場合に、前側及び後側の各疎水性シート５０，５０は、それぞれ、吸収体１１と厚さ方向に重ならない部分５０Ｐ１を長手方向の外側の位置に有するだけでなく、吸収体１１と厚さ方向に重なる部分５０Ｐ２も長手方向の内側の位置に有している。
【００７７】
よって、当該重なる部分５０Ｐ２では、吸収体１１の存在に起因してより起こり易い排泄液のリウエットを、当該疎水性シート５０で効果的に抑制可能である。
【００７８】
ちなみに、この重なる部分５０Ｐ２の長手方向の寸法については、望ましくは、１ｍｍ〜１００ｍｍであると良い。そして、特に１ｍｍ以上であることに基づけば、上記の吸収体１１の位置でのリウエット防止効果をより確実に奏することができる。また、１００ｍｍ以下にする理由は、それを超えてしまうとトップシート１２からの吸収を阻害しすぎてしまうとともに、疎水性シート５０の上面に液がのってしまって、伝え漏れが発生しやすくなるためである。  
但し、何等これに限らない。すなわち、上記の吸収体１１の位置でのリウエット防止効果が多少低下しても問題無い場合には、疎水性シート５０が、吸収体１１と重なる部分５０Ｐ２を有していなくても良い。
【００７９】
また、図４及び図５に示すように、吸収性本体１０における長手方向の各端部１０ｅＬｆ，１０ｅＬｂにおいて、トップシート１２は、各疎水性シート５０よりも横方向の外側に突出している。より詳しくは、疎水性シート５０の非固定部分５０ｅＷＮがトップシート１２から起立した状態（図５中に二点鎖線で示す状態）だけでなく、同非固定部分５０ｅＷＮがトップシート１２に当接した状態（図５中に実線で示す状態）においても、トップシート１２は、当該非固定部分５０ｅＷＮよりも横方向の外側に突出している。
【００８０】
よって、図５に示すように、疎水性シート５０の非固定部分５０ｅＷＮが起立することで横方向の外側に堰き止められた排泄液を、当該トップシート１２の液透過性でもって即座に吸収して、これを吸収体１１へと速やかに導くことができる。そして、これにより、非固定部分５０ｅＷＮの外側に堰き止められた排泄液が、当該非固定部分５０ｅＷＮを横方向の内側に乗り越えて横方向から疎水性シート５０の肌側面に流入してしまうことを抑制できて、これにより、排泄液が疎水性シート５０の肌側面を濡らしてしまうことを確実に防ぐことができる。そして、その結果、着用者に、上記のさらっと感をより確実に感じさせることができる。
【００８１】
ちなみに、このトップシート１２の横方向の外側への突出量については、望ましくは、片側で５ｍｍ〜２０ｍｍであると良い。そして、特に５ｍｍ以上であることに基づけば、上記の堰き止められた排泄液の吸収体１１への誘導性をより高くすることができる。また、２０ｍｍ以下にする理由は、濡れているトップシート１２が身体に当たり易くなり、さらっと感の低下を防ぐためである。  
但し、何等これに限らない。すなわち、上記の誘導性が多少低下しても問題無い場合には、吸収性本体１０における長手方向の各端部１０ｅＬｆ，１０ｅＬｂにおいて、トップシート１２は、各疎水性シート５０，５０よりも横方向の外側に突出していなくても良い。
【００８２】
更に、図４及び図５に示すように、この例では、吸収性本体１０の長手方向の各端部１０ｅＬｆ，１０ｅＬｂにおいて、それぞれ、吸収体１１は、各疎水性シート５０，５０よりも横方向の外側に突出している。より詳しくは、疎水性シート５０の非固定部分５０ｅＷＮがトップシート１２から起立した状態（図５中に二点鎖線で示す状態）だけでなく、同非固定部分５０ｅＷＮがトップシート１２に当接した状態（図５中に実線で示す状態）においても、吸収体１１は、当該非固定部分５０ｅＷＮよりも横方向の外側に突出している。
【００８３】
よって、疎水性シート５０の非固定部分５０ｅＷＮが起立することで横方向の外側に堰き止められた排泄液を、当該トップシート１２だけでなく吸収体１１でも速やかに吸収できる。そして、これにより、非固定部分５０ｅＷＮの外側に堰き止められた排泄液が当該非固定部分５０ｅＷＮを横方向の内側に乗り越えて横方向から疎水性シート５０の肌側面に流入してしまうことを有効に抑制できて、その結果、排泄液が疎水性シート５０の肌側面を濡らしてしまうことを確実に防ぐことができる。
【００８４】
ちなみに、この吸収体１１の横方向の外側への突出量については、望ましくは、片側で５ｍｍ〜２０ｍｍであると良い。そして、特に５ｍｍ以上であることに基づけば、上記の堰き止められた排泄液を吸収体１１はより高い即時吸収性で吸収可能となる。
【００８５】
但し、何等これに限らない。すなわち、上記の吸収体１１の即時吸収性が多少低下しても問題無い場合には、吸収性本体１０における長手方向の各端部１０ｅＬｆ，１０ｅＬｂにおいて、吸収体１１は、各疎水性シート５０よりも横方向の外側に突出していなくても良い。
【００８６】
また、この図４の例では、各疎水性シート５０，５０は、それぞれ、吸収性本体１０における長手方向の近い方の端１０ｅＬｆｅ，１０ｅＬｂｅまで設けられている。すなわち、前側の端部１０ｅＬｆの疎水性シート５０は、吸収性本体１０の前端１０ｅＬｆｅまで達しており、後側の端部１０ｅＬｂの疎水性シート５０は、吸収性本体１０の後端１０ｅＬｂｅまで達している。
【００８７】
よって、当該端１０ｅＬｆｅ，１０ｅＬｂｅまで、吸収性本体１０の剛性を補う効果を発揮し得て、これにより、吸収性本体１０の各端部１０ｅＬｆ，１０ｅＬｂでの皺の発生をより一層抑制可能となる。そして、その結果、当該皺起因で排泄液が上記端部１０ｅＬｆ，１０ｅＬｂから外部へ漏出してしまうことを確実に防ぐことができる。
【００８８】
但し、何等これに限らない。すなわち、上記の漏出防止効果が多少低下しても問題無い場合には、疎水性シート５０を、それぞれ、吸収性本体１０における長手方向の近い方の端１０ｅＬｆｅ，１０ｅＬｂｅまで設けなくても良い。
【００８９】
更に、上述のように各疎水性シート５０，５０が、それぞれ、対応する端１０ｅＬｆｅ，１０ｅＬｂｅまで設けられている場合には、同図４に示すように、基本的に前側の疎水性シート５０は、前側接合部ｊｆの位置まで達した状態となっており、同様に、後側の疎水性シート５０も、後側接合部ｊｂの位置まで達した状態となっている。そして、これにより、各疎水性シート５０，５０は、接着剤で吸収性本体１０の肌側面に固定されるだけでなく上記の各接合部ｊｆ，ｊｂの溶着でも同肌側面に固定されている。
【００９０】
よって、各疎水性シート５０，５０を吸収性本体１０にしっかりと固定することができて、その結果、各疎水性シート５０，５０に上述の機能を確実に発揮させることができる。
【００９１】
但し、何等これに限らない。すなわち、上記の接着剤のみで十分な固定強度を確保できる場合には、各疎水性シート５０，５０は、上記の各接合部ｊｆ，ｊｂの位置まで達していなくても良い。
【００９２】
図６は、第１変形例のおむつ１ａの説明図である。なお、同図６は、図５の断面図と同様に、図４中のＡ−Ａ断面図及びＢ−Ｂ断面図に相当する図である。
【００９３】
上述の実施形態では、図５に示すように、基本的に吸収体１１はバックシート１４の肌側面に接着剤で固定されていた。すなわち、吸収体１１における横方向の各端部１１ｅＷ，１１ｅＷを除く大半の部分は、バックシート１４の肌側面に接着剤で固定されていた。しかし、各端部１１ｅＷ，１１ｅＷについては、非肌側からもトップシート１２（１２ｅＷ，１２ｅＷ）で覆われているとともに、更に、その非肌側には、バックシート１４ではなく前述のシート部材３０が隣接していた。そのため、当該各端部１１ｅＷ，１１ｅＷについては、トップシート１２（１２ｅＷ，１２ｅＷ）を介してシート部材３０に接着剤で固定されていた。
【００９４】
これに対して、図６の第１変形例では、トップシート１２のうちで非肌側から吸収体１１の端部１１ｅＷを覆う部分１２ｅＷが、横方向の外側の位置に、シート部材３０の肌側面に接着剤で固定されない非固定部分１２ｅＷＮを有していて、この点で、図５に示す上述の実施形態と相違する。詳しくは、この第１変形例では、同図６に示すように、当該非固定部分１２ｅＷＮが、長手方向（図６では紙面を貫通する方向）に沿った帯状に存在している。
【００９５】
そして、このようになっていれば、吸収体１１の端部１１ｅＷにおける横方向の外側の部分１１ｅＷｅも、トップシート１２の非固定部分１２ｅＷＮと同様にシート部材３０（シートに相当）の肌側面に固定されない非固定部分１１ｅＷＮとして機能し得て、これにより、図６中の右上の図に示すようにシート部材３０の肌側面から起立可能である。
【００９６】
よって、当該吸収体１１の端部１１ｅＷの非固定部分１１ｅＷＮも、排泄液を横方向の外側に堰き止める堰として有効に機能し得て、これにより、横方向の外側からの排泄液の疎水性シート５０の肌側面への流入をより確実に防ぐことができる。
【００９７】
ちなみに、吸収体１１における上記の非固定部分１１ｅＷＮの横方向の寸法の一例としては、同吸収体１１の横方向の寸法の最大値の３％〜３０％の値を例示できる。そして、このような寸法にしていれば、上記の排泄液の横方向の流入防止効果をより効果的に奏することができる。
【００９８】
但し、何等これに限らない。すなわち、上記の流入防止効果が多少低下しても問題無い場合には、吸収体１１における横方向の各端部１１ｅＷに上記の非固定部分１１ｅＷＮが存在していなくても良い。
【００９９】
図７及び図８は、第２変形例のおむつ１ｂの説明図である。なお、図７は、図４と同じ様式で示す概略平面図あり、図８は、図７中のＡ−Ａ断面図及びＢ−Ｂ断面図である。
【０１００】
上述の実施形態では、各疎水性シート５０は、図４に示す長手方向の内側の端部５０ｅＬまで接着剤で吸収性本体１０のトップシート１２の肌側面に固定されていた。
【０１０１】
これに対して、この第２変形例では、図７及び図８に示すように、各疎水性シート５０における長手方向の内側の端部５０ｅＬには、吸収性本体１０のトップシート１２の肌側面に固定されない第２非固定部分５０ｅＬＮが、横方向に沿った帯状に存在していて、これにより、当該第２非固定部分５０ｅＬＮは、トップシート１２の肌側面から起立可能なっている。
【０１０２】
そして、このようになっていれば、吸収性本体１０で吸収しきれずに長手方向に沿って上記端部１０ｅＬｂの疎水性シート５０の肌側面に流入しようとする排泄液（図７中の太線矢印を参照）を、疎水性シート５０の上記第２非固定部分５０ｅＬＮが起立することで堰き止める。よって、当該疎水性シート５０の肌側面への排泄液の流入を抑制することができて、その結果、同シート５０の肌側面が排泄液で濡れてしまうことを防ぐことができる。
【０１０３】
ちなみに、疎水性シート５０における上記の第２非固定部分５０ｅＬＮの長手方向の寸法の一例としては、３ｍｍ〜２０ｍｍを例示できる。そして、このような寸法にしていれば、上記の排泄液の長手方向の流入防止効果をより確実に発揮することができる。
【０１０４】
但し、何等これに限らない。すなわち、上記の流入防止効果が多少低下しても問題無い場合には、疎水性シート５０における長手方向の内側の端部５０ｅＬに、上記の第２非固定部分５０ｅＬＮが存在していなくても良い。
【０１０５】
＝＝＝おむつ１着用時における特徴＝＝＝
このようなパンツ型おむつでは、着用者が着用した状態で違和感なく日常生活を送ることができることが望ましい。特に、大人用のパンツ型おむつでは、下着の代わりにおむつを着用するという使用態様が一般的であるが、本実施形態では、おむつ１を下着と共に着用するという使用態様を可能としている。具体的に、本実施形態のおむつ１は、各部の寸法（サイズ）を所定範囲内に規定することにより、下着の下に着用することが可能であり、その際、おむつ１が下着の下に隠れて目立ちにくい構成となっている。すなわち、おむつ１を下着とともに着用するという従来とは異なる使用態様において、おむつ１を着用していることを他人に知られたくないという着用者の要望を叶えることが可能な構成を有している。以下、おむつ１の各部の寸法について説明する。
【０１０６】
図１０は、おむつ１の各部の寸法について説明する図である。同図１０では、パンツ型形状のおむつ１（図１に相当）を縦方向及び横方向に伸長させた状態の概略平面図を表している。「伸長させた状態」は、上述した「伸長した状態」と同義である。図１１は、着用者がおむつ１を着用した状態を正面（腹側）から見た場合について示す概略図である。図１２は、着用者がおむつ１を着用し、さらにその上から下着を着用した状態を正面（腹側）から見た場合について示す概略図である。同図１２では、下着を実線で表し、おむつ１を破線で表している。
【０１０７】
先ず、図１０の状態で、縦方向における吸収性本体１０の上端（胴回り側の端）と下端（股下側の端）との間の長さをＬ１０とする。つまりＬ１０は、吸収性本体１０を長手方向に伸長させ、長手方向の中央位置ＣＬＬ１０で２つ折りにした状態で、縦方向における吸収性本体１０の一方側の端と他方側の端との間の距離である。おむつ１では、この距離Ｌ１０が２５０ｍｍ以上３５０ｍｍ以下、望ましくは２９０ｍｍとなるように規定されている（３５０ｍｍ≧Ｌ１０≧２５０ｍｍ）。なお、図１１や図１２のように着用者がおむつ１を着用した状態では、おむつ１が股下部５において前後に広がることから、縦方向における吸収性本体１０の着用時の長さは距離Ｌ１０よりも５０〜７０ｍｍ程度短くなり、２８０ｍｍ〜２００ｍｍ程度となる。
【０１０８】
図１１に示されるように、縦方向において人間（着用者）の腸骨の上端（骨盤）から大転子までの平均的な距離は約２００ｍｍであり、へそから大転子までの平均的な距離は約３００ｍｍである。そして、図１１や図１２に示されるように、一般的な下着は、腸骨の上端とへそとの間に胴回り開口部（下着の上端部）が配置されるようにサイズ設計されている。したがって、仮に距離Ｌ１０が３５０ｍｍよりも大きい場合、おむつ１の着用時において吸収性本体１０の上端位置が高くなり、下着の上端からはみ出してしまうおそれがある。また、吸収性本体１０の上端位置が高くなると必然的にベルト部３２の位置も高くなるため、ベルト部３２が下着の上端からはみ出してしまうとともに、腸骨よりも上側で着用者の胴回り（ウェスト部）が締め付けられることにより、おむつ１着用時におけるフィット性が大きく悪化する。これに対して、距離Ｌ１０が３５０ｍｍ以下であれば、吸収性本体１０やベルト部３２が下着の上端部よりも下側に隠れやすくなり、また、ベルト部３２が腸骨の横の位置に配置されるため、着用者は、ベルト部３２による締め付けを腸骨部分に受けることから、良好なフィット感を得やすくなる（図１１，図１２参照）。
【０１０９】
また、仮に距離Ｌ１０が２５０ｍｍよりも小さい場合、おむつ１着用時において、吸収性本体１０及びベルト部３２が腸骨（骨盤）の上端よりも下側に位置しやすくなる。ベルト部３２が腸骨の上端部にかからない場合、ベルト部３２に作用する収縮力によってベルト部３２が骨盤の傾斜にしたがって下側にずり落ちやすくなり、フィット性が悪化する。これに対して、距離Ｌ１０が２５０ｍｍ以上であれば、おむつ１の着用時において、少なくともベルト部３２の一部は腸骨の上端部にかかりやすくなるため、ベルト部３２がずり落ちにくくなり、フィット性が悪化することを抑制できる。なお、距離Ｌ１０を２９０ｍｍとすれば、着用時における縦方向の実際の長さが２２０〜２４０ｍｍ程度となり、ずり落ちを抑制しつつ、ローライズやミディサイズ等、多くの種類の下着の中に収まりやすくなる。
【０１１０】
次に、横方向における吸収体１１の幅をＷ１１とする。つまりＷ１１は、吸収体１１を横方向に伸長させた状態で、横方向における吸収体１１の一方側の端と他方側の端との間の距離である。おむつ１では、この距離Ｗ１１が５０ｍｍ以上１２０ｍｍ以下、望ましくは１００ｍｍとなるように規定されている（１２０ｍｍ≧Ｗ１１≧５０ｍｍ）。
【０１１１】
距離Ｗ１１は、おむつ１の着用時において排泄物を吸収できる空間を十分に確保すること、及び食い込みやもたつきが生じにくいことを前提としつつ、下着の股下部（クロッチ）に収まりやすい寸法となっている。おむつ１では、下着の下に重ねて着用するという使用態様を想定しているため、着用時において吸収体１１が下着よりも体に近い位置に配置され、身体の凹凸形状にフィットすることで吸収体１１が変形して横方向における見立て幅が小さくなりやすい。しかし、仮に、距離Ｗ１１が１２０ｍｍよりも大きい場合、横方向における見立て幅が下着を超えてしまうため、一般的な下着の股間幅である５０〜８０ｍｍの範囲に吸収体１１が収まらず、下着からはみ出してしまうおそれがある。また、吸収体１１を下着の股下部にはみ出しなく収めようとすると、股間部にもたつきが生じて着用者に不快感を与えたり、排泄物の横漏れを生じたりするおそれがある。これに対して、距離Ｗ１１が１２０ｍｍ以下であれば、股間部において吸収体１１をもたつきなく下着の中に収めることができる。
【０１１２】
また、仮に距離Ｗ１１が５０ｍｍよりも小さい場合、排泄物を吸収可能な領域が狭くなり、吸収体１１が十分な吸収性能を発揮できなくなる。さらに、吸収体１１の幅が狭いことから、着用時において吸収体１１の横方向両端（エッジ）が着用者の鼠蹊部に食い込んだり、臀部が大きく露出したりする等の問題が生じてフィット性が悪化するおそれがある。これに対して、距離Ｗ１１が５０ｍｍ以上であれば、十分な吸収性を確保しつつ、着用時における食い込み等を抑制して良好なフィット性を実現できる。なお、距離Ｗ１１を１００ｍｍとすれば、吸収性を確保しつつ、もたつきや食い込みを抑制したうえで、一般的な下着の股下幅に近づけることで、股下部において吸収体１１を下着の中にスムーズに収めやすくすることができる。
【０１１３】
次に、縦方向におけるベルト部３２の幅の最小値をｈ３２とする。つまりｈ３２は、縦方向におけるベルト部３２の一方側の端と他方側の端との間の距離の最小値である。おむつ１では、この距離ｈ３２が５０ｍｍ以上１００ｍｍ以下、望ましくは７０ｍｍとなるように規定されている（１００ｍｍ≧ｈ３２≧５０ｍｍ）。
【０１１４】
仮に距離ｈ３２が１００ｍｍよりも大きい場合、ベルト部３２が下着のサイド部分に収まらず、上下にはみ出しやすくなる。また、上下方向における幅が広くなることから、おむつ１の着用時において、着用者の身体のうち腸骨（骨盤）の上端よりも下側の領域がベルト部３２によって広く覆われるようになる。この場合、ベルト部３２に設けられた糸ゴム３３による収縮力が腸骨の下側の領域に作用することにより、ベルト部３２が腸骨（骨盤）の傾斜に沿って下方に引きずられやすくなる。すなわち、ベルト部３２が下方にずれ落ちやすくなり、下着のサイド部分から下側にはみ出したり、フィット性が悪化したりするおそれがある。これに対して、距離ｈ３２が１００ｍｍ以下であれば、下着のサイド部分に収まりやすく、骨盤の傾斜に沿ってずれ落ちる等の問題を抑制できる。
【０１１５】
また、仮に距離ｈ３２が５０ｍｍよりも小さい場合、着用者の肌との接触面積が小さいため摩擦力が弱く、ベルト部３２が腸骨（骨盤）の傾斜に沿って上方または下方に滑りやすくなる。この場合、ベルト部３２が丸まって細くなることによって、着用者の肌に食い込みやすくなったり、より滑りやすくなったりしてフィット性が悪化しやすい。これに対して、距離ｈ３２が５０ｍｍ以上であれば、ベルト部３２が滑りにくく、フィット性の悪化を抑制しやすい。なお、距離ｈ３２を７０ｍｍとすれば、腸骨の頂点位置を中心として上下の領域に均等にベルト部３２の収縮力が作用しやすくなり、ベルト部３２が腸骨（骨盤）の傾斜に沿って滑ることを抑制しやすくなる。また、成人がものを掴むときに人差し指と親指を広げた時の長さが１００ｍｍ程度であることから、このような寸法であれば、成人が片手でベルト部３２を掴みやすく、おむつ１を着用する際にベルト部３２を引き上げる動作を安定して行うことが可能となる。さらに、おむつ１の着用後はベルト部３２が下着のサイド部分に収まりやすくなる。
【０１１６】
また、前側接合部ｊｆの上端（一方側の端）をｊｆｔ、下端（他方側の端）をｊｆｂとしたとき、縦方向における上端ｊｆｔと下端ｊｆｂとの間の距離ｈｊｆは、９０ｍｍ以上１３０ｍｍ以下、望ましくは１００ｍｍとなるように規定されている。なお、後側接合部ｊｂについても同様のことが言えるが、ここでは前側接合部ｊｆについて説明する。
【０１１７】
おむつ１において、前側接合部ｊｆは吸収性本体１０とベルト部３２とを接合している部位であり、この前側接合部ｊｆの長さ（縦方向における距離ｈｊｆ）によって脚回り開口部ＬＨの大きさが決定される。したがって、距離ｈｊｆが大きいほど、脚回り開口部ＬＨが小さくなり周長が短くなる。特に、距離ｈｊｆが１３０ｍｍよりも大きい場合、おむつ１の着用時に脚回り開口部ＬＨの周縁部が着用者の脚に引っかかりやすくなり、着用動作が妨げられやすくなる。また、おむつ１の着用時に着用者がベルト部３２をつかんでおむつ１を引き上げる動作を行う際に、距離ｈｊｆが小さいほど、ベルト部３２が前側接合部ｊｆを基点として斜め上方に曲がりやすくなる。すなわち、吸収性本体１０に対して左右のベルト部３２がＶ字型に変形しやすくなる。特に、距離ｈｊｆが９０ｍｍよりも小さい場合、ベルト部３２が斜め上方側に大きく変形してしまい、おむつ１を引き上げる際に、引き上げたベルト部３２が下着の上端から上側にはみ出しやすくなる。これに対して、距離ｈｊｆを９０ｍｍ以上１３０ｍｍ以下とすることで、脚回り開口部ＬＨにおけるフィット性を向上させるとともにベルト部３２が下着からはみ出すことを抑制することができる。なお、距離ｈｊｆを１００ｍｍとすれば、ベルト部３２が斜め上方に過度に曲がることが抑制され、より下着らしいＴ字型のフォルムを形成しやすくなり、下着の下におむつ１を着用した場合でもおむつ１が目立ちにくくなる。
【０１１８】
また、自然状態におけるおむつ１の胴回り開口部ＢＨの周の長さをＲＢＨとすると、ＲＢＨの長さは、３００ｍｍ以上８００ｍｍ以下、望ましくは５４０ｍｍである。なお、「自然状態」とは、以下のように定義される。先ず、おむつ１のベルト部３２を横方向の両外側に引っ張り、横方向におけるベルト部３２及び吸収性本体１０の寸法が、部材単体の寸法と一致又はそれに近い長さになるまで伸長させる。この伸長状態を１５秒間継続させた後、おむつ１の引っ張り状態を解除して机等の平面に置く。そして、このような平面平置きで５分間経過させた状態がおむつ１の自然状態である。図１０では、便宜上、伸長状態のおむつ１に対して開口部ＢＨの周長ＲＢＨを表示している。
【０１１９】
ＲＢＨが８００ｍｍよりも大きいと、胴回り開口部ＢＨに沿って作用する収縮力（応力）が低くなり、おむつ１着用時における胴回りのフィット性が悪化するおそれがある。つまり、胴回り（ウェスト部）の締め付けが緩くなり、おむつ１がずり落ちやすくなる。また、ＲＢＨが３００ｍｍよりも小さいと、おむつ１を着用する際に開口部ＢＨを開いたときに、胴回り開口部ＢＨの間口が狭く、脚回り開口部ＬＨの位置を認識しにくくなる。そのため、脚回り開口部ＬＨに脚を通す動作において、脚回り開口部ＬＨの周縁部に着用者の脚の指が引っかかりやすくなる等の問題が生じるおそれがある。これに対して、ＲＢＨを３００ｍｍ以上８００ｍｍ以下とすることで、良好なフィット性を維持しつつ、着用しやすさを向上させることができる。なお、ＲＢＨを５４０ｍｍとすれば、Ｍサイズの下着の自然状態における一般的な胴回り寸法である５２０ｍｍ〜５６０ｍｍの範囲に含まれるため、下着の中におむつ１がスムーズに収まりやすくなる。
【０１２０】
また、図３に示されるように、ベルト部３２は、胴回り開口部ＢＨを形成する部分（図３においてベルト部３２の横方向外側端部）がまっすぐに延びているのに対して、脚回り開口部ＬＨを形成する部分（図３においてベルト部３２の横方向内側端部）は、胴回り開口部ＢＨ側に凸となるような曲線（Ｒ形状）を描いている。これにより、おむつ１をパンツ型に形成した状態で脚回り開口部ＬＨが下着の脚回りのカーブに沿いやすくなり、下着の下に着用した場合であっても、おむつ１が下着からはみ出しにくくなる。また、おむつ１を着用する動作において、脚回り開口部ＬＨのカーブが着用者の太ももの形状や足繰りの形状に合わせて縦方向の上側に凸となっていることで足繰りの形状にフィットしやすく、股間部に詰まることなくおむつ１をスムーズに引き上げることができる。
【０１２１】
＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０１２２】
上述の実施形態では、図３Ａに示すように、疎水性シート５０を、吸収性本体１０の長手方向の各端部１０ｅＬｆ，１０ｅＬｂにそれぞれ設けていたが、何等これに限らない。すなわち、各端部１０ｅＬｆ，１０ｅＬｂのうちのどちらか一方の端部１０ｅＬｆ（１０ｅＬｂ）のみに疎水性シート５０を設けても良い。
【０１２３】
上述の実施形態では、吸収性物品として図１のようなパンツ型の使い捨ておむつ１を例示したが、何等これに限らない。例えば、テープ式の使い捨ておむつに上記の疎水性シート５０，５０を設けても良い。ちなみに、当該テープ式の使い捨ておむつとは、例えば次のような構成のものである。先ず、同おむつは、平面視砂時計形状の吸収性本体を有する。そして、同吸収性本体における長手方向の一方の端部には、横方向に一対のファスニングテープが設けられており、また、他方の端部には、これら一対のファスニングテープを係止するターゲットテープが設けられている。また、更に言えば、吸収性物品は、何等上記のおむつに限らず、例えば尿取りパットでも良い。なお、ここで言う「尿取りパッド」とは、テープ式又はパンツ型の使い捨ておむつの吸収性本体１０の肌側面に載置して使用されるものであり、その一例としては、上記のシート部材３０，３０を有さず、上記吸収性本体１０の平面視の外形形状を略矩形形状にしたものを挙げることができる。
【０１２４】
上述の実施形態では、図３Ａの展開状態における吸収性本体１０の横方向の両側の位置に、横漏れを防ぐための所謂立体ギャザーを設けていなかったが、場合によっては、設けても良い。但し、望ましくは、上述の実施形態のように立体ギャザーを設けない方が良い。詳しくは、次の通りである。  
先ず、立体ギャザーを設けるためには、長手方向に沿った糸ゴム等の弾性部材が同方向に伸長された状態で固定された一対の立体ギャザーシートを、吸収性本体１０の横方向の両側にそれぞれ固定する。また、同立体ギャザーシートにおいて吸収性本体１０に固定された部分よりも横方向の内側の部分については、その長手方向の両端部も吸収性本体１０に固定される。そして、これにより、同内側の部分において吸収性本体１０に固定されない長手方向の中央部が、上記の弾性部材の収縮力に基づいて起立して、これにより、当該中央部が立体ギャザーとして機能する。しかし、ここで、固定された上記の両端部は、肌側に盛り上がっていることから、着用者の臀部などと擦れ易く、その結果、装着感が失われてしまう。また、見た目にも、おむつらしさが想起されてしまうようになる。そのため、好ましくは、立体ギャザーを設けないようにすると良い。
【０１２５】
上述の実施形態では、前側接合部ｊｆ及びその近傍部分の断面形状について説明していなかった。そのため、ここで図９Ａを参照して説明する。図９Ａは、図１中のＩＸ−ＩＸ断面図である。同図９Ａに示すように、前側接合部ｊｆにも、吸収性本体１０の疎水性シート５０が存在している。よって、同シート５０の剛性に基づいて、吸収性本体１０と前側接合部ｊｆとの境界部分の角度θ１が鈍角となり、ベルト部３２と前側接合部ｊｆとの境界部分の角度θ２が鋭角となるように、前側接合部ｊｆは、横方向の外側に倒れた状態となる。そして、これにより、図９Ｂに示すように疎水性シート５０が無い場合に起こり得る事態、すなわち、上記の各角度θ１，θ２がそれぞれ約９０°になってしまって前側接合部ｊｆが前側に起立して突出した状態になることを防ぐことができる。その結果、前側接合部ｊｆが目立ち難くなって、下着らしさを出すことができる。また、横方向の外側に倒れるので、吸収性本体１０に位置する疎水性シート５０の皺の発生も抑制される。なお、このことは、後側接合部ｊｂについても同様である。
【符号の説明】
【０１２６】
１  使い捨ておむつ（吸収性物品）、１ａ  使い捨ておむつ（吸収性物品）、
１ｂ  使い捨ておむつ（吸収性物品）、
１０  吸収性本体、１０ｅＬｂ  端部、１０ｅＬｂＮ  部分、１０ｅＬｂｅ  後端（端）、
１０ｅＬｆ  端部、１０ｅＬｆＮ  部分、１０ｅＬｆｅ  前端（端）、
１０ｅＷ  端部、
１１  吸収体、１１ｅＷ  端部、１１ｅＷｅ  部分、１１ｅＷＮ  非固定部分、
１２  トップシート（肌側シート）、
１２ｅＷ  部分、１２ｅＷＮ  非固定部分、
１４  バックシート（非肌側シート）、１４ｅＬｆ  端部、
１６  外装シート、１６ｅＬｆ  端部、
３０  シート部材（シート）、３０ａ  シート、３０ｅＷ  端部、
３２  ベルト部、３２ｅＬｂ  端部、３２ｅＬｆ  端部、
３２ｅＷ１  端部、３３  糸ゴム、
３７  レッグギャザー部、３７ｅＬｂ  端部、３７ｅＬｆ  端部、３８  糸ゴム、
５０  疎水性シート、５０Ｐ１  部分、５０Ｐ２  部分、
５０ｅＷ  端部、５０ｅＷＮ  非固定部分、
５０ｅＬ  端部、５０ｅＬＮ  第２非固定部分、
ＢＨ  胴回り開口部、ＬＨ  脚回り開口部、
ＦＬ  折り返し線、ｊｂ  後側接合部（接合部）、 ｊｆ  前側接合部（接合部）、
ＣＬＬ１０  略中央位置、
【図１】
2017209479.tif 000003
【図２】
2017209479.tif 000004
【図３】
2017209479.tif 000005
【図４】
2017209479.tif 000006
【図５】
2017209479.tif 000007
【図６】
2017209479.tif 000008
【図７】
2017209479.tif 000009
【図８】
2017209479.tif 000010
【図９】
2017209479.tif 000011
【図１０】
2017209479.tif 000012
【図１１】
2017209479.tif 000013
【図１２】
2017209479.tif 000014
【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であり、
前記疎水性シートにおける前記長手方向の内側の端部には、前記吸収性本体の前記肌側面に固定されない第２非固定部分が存在し、前記第２非固定部分は、前記肌側面から起立可能であることを特徴とする吸収性物品。
【請求項２】
請求項１に記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記吸収性本体の前記一方の端部において、前記肌側シートは、前記疎水性シートよりも前記横方向の外側に突出していることを特徴とする吸収性物品。
【請求項３】
請求項２に記載の吸収性物品であって、
前記吸収性本体の前記一方の端部において、前記吸収体は、前記疎水性シートよりも前記横方向の外側に突出していることを特徴とする吸収性物品。
【請求項４】
請求項１乃至３の何れかに記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記肌側から見た場合に、前記疎水性シートは、前記吸収体と重なる部分を有していることを特徴とする吸収性物品。
【請求項５】
請求項１乃至４の何れかに記載の吸収性物品であって、
前記疎水性シートは、前記吸収性本体における前記長手方向の近い方の端まで設けられていることを特徴とする吸収性物品。
【請求項６】
請求項１乃至５の何れかに記載の吸収性物品であって、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記吸収体は、前記非肌側シートに固定されており、
前記吸収体における前記横方向の端部は、当該端部の非肌側に位置するシートに固定されない非固定部分を有し、前記非固定部分は、前記シートから起立可能であることを特徴とする吸収性物品。
【請求項７】
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であり、
前記横方向の両側にそれぞれ配されて、前記吸収性本体における前記長手方向の各端部同士を連結する各ベルト部を有し、
前記疎水性シートは、接着剤によって前記吸収性本体の前記肌側面に固定されており、
前記吸収性本体における前記長手方向の前記各端部には、それぞれ、前記ベルト部を溶着で接合する接合部が設けられており、
前記接合部では、前記疎水性シートが、前記吸収性本体の前記肌側面に溶着でも固定されていることを特徴とする吸収性物品。
【請求項８】
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であり、
前記吸収性本体は、排泄液を吸収する吸収体と、前記吸収体よりも肌側に配された液透過性の肌側シートと、前記吸収体よりも非肌側に配された液不透過性の非肌側シートと、を有し、
前記肌側シートは不織布であり、
前記疎水性シートは不織布であり、
前記疎水性シートの密度（ｇ／ｃｍ3）は、前記肌側シートの密度（ｇ／ｃｍ3）よりも大きいことを特徴とする吸収性物品。
【請求項９】
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であり、
前記吸収性本体は、排泄液を吸収する吸収体を有し、
前記横方向の両側にそれぞれ配されて、前記吸収性本体における前記長手方向の各端部同士を連結する各ベルト部を有し、
前記吸収性本体を前記長手方向に伸長させ、前記長手方向の中央で２つ折りにした状態で、前記縦方向における前記吸収性本体の一方側の端と他方側の端との間の距離は、２５０ｍｍ以上３５０ｍｍ以下であり、
前記吸収体を前記横方向に伸長させた状態で、前記横方向における前記吸収体の一方側の端と他方側の端との間の距離は、５０ｍｍ以上１２０ｍｍ以下であり、
前記縦方向における前記ベルト部の一方側の端と他方側の端との間の距離の最小値は、５０ｍｍ以上１００ｍｍ以下である、ことを特徴とする吸収性物品。
【請求項１０】
請求項９に記載の吸収性物品であって、
前記吸収性本体における前記長手方向の前記各端部には、それぞれ、前記ベルト部を接合する接合部が設けられており、
前記縦方向における前記接合部の一方側の端と他方側の端との間の距離は、９０ｍｍ以上１３０ｍｍ以下である、ことを特徴とする吸収性物品。
【請求項１１】
請求項９または１０に記載の吸収性物品であって、
前記ベルト部及び前記吸収性本体の一部によって形成される胴回り開口部を有し、
前記胴回り開口部の周の長さは、３００ｍｍ以上８００ｍｍ以下である、ことを特徴とする吸収性物品。
【手続補正２】
【補正対象書類名】明細書
【補正対象項目名】００１０
【補正方法】変更
【補正の内容】
【００１０】
上記目的を達成するための主たる発明は、
互いに交差する縦方向と横方向とを有した吸収性物品であって、
長手方向が前記縦方向に沿った吸収性本体を有し、
前記吸収性本体における前記長手方向の各端部のうちの少なくとも一方の端部には、前記吸収性本体の肌側面を覆って疎水性シートが固定されており、
前記疎水性シートにおける前記横方向の各端部には、前記肌側面に固定されない非固定部分が存在し、前記非固定部分は、前記肌側面から起立可能であり、
前記疎水性シートにおける前記長手方向の内側の端部には、前記吸収性本体の前記肌側面に固定されない第２非固定部分が存在し、前記第２非固定部分は、前記肌側面から起立可能であることを特徴とする吸収性物品である。
本発明の他の特徴については、本明細書及び添付図面の記載により明らかにする。